(57)【特許請求の範囲】
【請求項１】
底部に排水口が設けられたシンク槽と、
このシンク槽に対して着脱可能に配設され、前記シンク槽を流し専用領域と食洗機能領域とに仕切る仕切板と、
前記シンク槽の食洗機能領域に対して着脱可能に配設される洗浄かごと、
前記シンク槽の食洗機能領域に対して着脱可能に配設される洗浄ノズルと、
前記シンク槽の食洗機能領域の上をスライドさせることにより覆うことが可能な蓋とを備え、
前記シンク槽は、前記仕切板により、排水口が設けられている方を前記流し専用領域、他方を前記食洗機能領域として仕切られ、
前記流し専用領域と前記食洗機能領域とは、底部側において連通口により連通されており、
前記食洗機能領域には、利用者が立つ位置から見て横方向に位置する横側壁に、前記洗浄ノズルを着脱可能に配設するノズル洗浄水出口が設けられ、かつ、利用者が立つ位置から見て縦方向に位置する手前側壁及び奥側壁に、洗浄水をシャワー状に放出するシャワー洗浄水出口が設けられ、
前記シンク槽には、手前側壁及び奥側壁の対応位置に、前記仕切板の底部及び前記洗浄かごの底部を支える第１段差部、及び、前記蓋を支える第２段差部がそれぞれ設けられ、
これら第１段差部及び第２段差部は、食洗機能領域から流し専用領域に伸長して設けられ、
これら第１段差部又は第２段差部に架け渡すことにより着脱可能に配設可能な板部材を備えた
ことを特徴とする食洗機能付きシンク。
【請求項２】
乾燥手段として、前記食洗機能領域における底部の下に設けられたヒーターと、前記食洗機能領域に設けられた温風吹き出し口とのうちの少なくとも一方を備えたことを特徴とする請求項１記載の食洗機能付きシンク。
【請求項３】
内部に収納空間を有し、上面に収納口が設けられた上面出し入れ収納部を備え、
前記収納空間には、複数の収納体と、この各収納体を順番に前記収納口に近づけるように移動させる移動手段とが設けられた
ことを特徴とする請求項１又は請求項２記載の食器洗浄機付きシンク。
【発明の詳細な説明】
【技術分野】
【０００１】
本発明は、シンク槽の一部に食洗機能を設けた食洗機能付きシンクに関するものである。
【背景技術】
【０００２】
食器洗浄機は、食器洗いにかかる時間を省略することができ、洗浄から除菌や乾燥までを全自動で処理することができるので衛生的でもあり、また、手洗いよりもきれいに洗えて節水もでき、更には、深夜電力を利用すればランニングコストも比較的安く済むことから、一般に普及が進んでいる。食器洗浄機には、例えば、据置型（卓上型）とビルトイン型がある（例えば、特許文献１及び特許文献２参照）。
【先行技術文献】
【特許文献】
【０００３】
【特許文献１】特開２００７−１３０１４３号公報
【特許文献２】特開２０１２−２４３７６号公報
【発明の概要】
【発明が解決しようとする課題】
【０００４】
据置型の食器洗浄機は、安価で設置場所の自由度が高く、設置工事も容易であるが、新たに設置場所を確保する必要があり、調理台の上等に設置すると、キッチンワークのスペースが減少してしまうという問題があった。一方、ビルトイン型の食器洗浄機は、キッチンカウンタ下に組み込まれるので、調理台の上を広く使用することができるが、専有面積が大きいので、システムキッチンの大型化を招いたり、収納スペースが少なくなってしまい、更に、洗浄槽を手前に引きだして食器類を出し入れする場合には、食器洗浄機の手前側に十分なスペースが必要であるという問題もあった。
【０００５】
また、従来の食器洗浄機では、食器に付着している食残等を事前に予備洗いする必要があり、更に、食器洗浄機専用の洗剤を使用する必要があるなど、取扱いが面倒であるという問題もあった。
【０００６】
本発明は、このような問題に基づきなされたものであり、省スペースで、取扱いが容易な食洗機能付きシンクを提供することを目的とする。
【課題を解決するための手段】
【０００７】
本発明の食洗機能付きシンクは、底部に排水口が設けられたシンク槽と、このシンク槽に対して着脱可能に配設され、シンク槽を流し専用領域と食洗機能領域とに仕切る仕切板と、シンク槽の食洗機能領域に対して着脱可能に配設される洗浄かごと、シンク槽の食洗機能領域に対して着脱可能に配設される洗浄ノズルと、シンク槽の食洗機能領域の上をスライドさせることにより覆うことが可能な蓋とを備え、シンク槽は、仕切板により、排水口が設けられている方を流し専用領域、他方を食洗機能領域として仕切られ、流し専用領域と食洗機能領域とは、底部側において連通口により連通されており、食洗機能領域には、利用者が立つ位置から見て横方向に位置する横側壁に、洗浄ノズルを着脱可能に配設するノズル洗浄水出口が設けられ、かつ、利用者が立つ位置から見て縦方向に位置する手前側壁及び奥側壁に、洗浄水をシャワー状に放出するシャワー洗浄水出口が設けられたものである。
【発明の効果】
【０００８】
本発明によれば、シンク槽を仕切板により流し専用領域と食洗機能領域とに仕切り、食洗機能領域に洗浄かご及び洗浄ノズルを着脱可能に配設するようにしたので、シンク槽の一部を食器洗浄機として使用することができる。よって、作業スペースを気にすることなく食器洗浄機を設置することができる。また、仕切板、洗浄かご、及び、洗浄ノズルを取り外すことにより、流し専用領域と食洗機能領域とを一体としてシンク槽を広く使用することができる。よって、大型の鍋なども容易に洗うことができると共に、メンテナンスも容易にすることができる。
【０００９】
更に、食洗機能領域の上を蓋で覆うことができるようにしたので、蓋の上を作業台として使用することができ、作業効率を向上させることができる。加えて、排水口が設けられている方を流し専用領域とし、流し専用領域と食洗機能領域とを底部側において連通口により連通するようにしたので、食器に付着している食残等は排水口において集めることができる。よって、食器を事前に予備洗いする必要がなく、簡便に使用することができる。更にまた、洗剤は、食器に手で直接かけたり、又は、洗浄ノズルに送り込むことによりかけることができるので、食洗機専用の洗剤でも、一般の洗剤でも用いることができる。
【００１０】
また、乾燥手段として、食洗機能領域における底部の下に設けられたヒーターと、食洗機能領域に設けられた温風吹き出し口とのうちの少なくとも一方を備えるようにすれば、食器を効率よく乾燥させることができる。
【００１１】
更に、シンク槽の手前側壁及び奥側壁の対応位置に、仕切板の底部及び洗浄かごの底部を支える第１段差部、及び、蓋を支える第２段差部を設けるようにすれば、仕切板、洗浄かご、及び、蓋を容易に配設することができる。また、第１段差部及び第２段差部を食洗機能領域から流し専用領域に伸長して設けるようにすれば、シンク槽の任意の位置において第１段差部又は第２段差部に板部材を架け渡して配設することにより、物置台又は作業台として使用することもできる。
【００１２】
加えて、上面に収納口が設けられた上面出し入れ収納部を設け、内部の収納空間に、複数の収納体と、各収納体を順番に収納口に近づけるように移動させる移動手段とを設けるようにすれば、例えば、Ｌ字型流し台の角部のように、上面にしか収納口を設けることができない場所であっても、収納体の位置を移動させることにより、内部の収納空間を広く使用することができる。
【図面の簡単な説明】
【００１３】
【図１】本発明の一実施の形態に係る食洗機能付きシンクの外観構成を表す図である。
【図２】図１に示した食洗機能付きシンクの一部についての概略構成を表す断面図である。
【図３】図２に示したＩ−Ｉ線又はＩＩ−ＩＩ線に沿った概略構成を表す断面図である。
【図４】図１に示した初戦機能付きシンクの一部を取り出して表す構成図である。
【発明を実施するための形態】
【００１４】
以下、本発明の実施の形態について、図面を参照して詳細に説明する。
【００１５】
図１は、本発明の一実施の形態に係る食洗機能付きシンク１の外観構成を表すものである。図２は、食洗機能付きシンク１の一部についての概略断面構成を表すものである。図３（Ａ）は図２に示したＩ−Ｉ線に沿った概略断面構成を表すものであり、図３（Ｂ）は図２に示したＩＩ−ＩＩ線に沿った概略断面構成を表すものである。図４は、食洗機能付きシンク１の一部を取り出して表すものである。この食洗機能付きシンク１は、例えば、流し台１０としての機能を有しており、必要に応じて、作業を行う調理台２０としての機能を有していてもよい。また、図示しないが、ガスコンロやＩＨクッキングヒーター等の調理器具を配設する調理器具台等の他の機能を有していてもよい。
【００１６】
この食洗機能付きシンク１は、流し台１０として、シンク槽１１を備えている。シンク槽１１は、例えば、１つの排水口１２が設けられた底部と、利用者が立つ位置から見て横方向に位置する一対の横側壁と、利用者が立つ位置から見て縦方向に位置する手前側壁及び奥側壁とを有している。
【００１７】
食洗機能付きシンク１は、また、シンク槽１１に対して着脱可能に配設され、シンク槽１１を流し専用領域１１Ａと食洗機能領域１１Ｂとに仕切る仕切板３１と、シンク槽１１の食洗機能領域１１Ｂに対して着脱可能に配設される洗浄かご３２と、シンク槽１１の食洗機能領域１１Ｂに対して着脱可能に配設される洗浄ノズル３３と、シンク槽１１の食洗機能領域１１Ｂの上をスライドさせることにより覆うことが可能な蓋３４とを備えている。これにより、この食洗機能付きシンク１は、流し台１０に食器洗浄機３０としての機能も持たせるようになっている。なお、図２（Ａ）は食器洗浄機３０を取り付けた状態を表し、図２（Ｂ）は食器洗浄機３０を取り外した状態を表している。
【００１８】
仕切板３１は、シンク槽１１を仕切ることにより、食洗機能領域１１Ｂを食器洗浄機３０として機能させるようにするものである。シンク槽１１は、仕切板３１により、排水口１２が設けられている方を流し専用領域１１Ａ、他方を食洗機能領域１１Ｂとして仕切られる。シンク槽１１の手前側壁及び奥側壁の対応する位置には、例えば、仕切板３１の両端部の片側を支える仕切り支え部１３がそれぞれ設けられている。仕切板３１は、例えば、両端部の片側が仕切り支え部１３により支えられ、反対側が洗浄かご３２により支えられて、シンク槽１１に配設されるようになっている。
【００１９】
シンク槽１１には、また、例えば、手前側壁及び奥側壁の対応位置に、仕切板３１の両端部の底部及び洗浄かご３２の一対の側部の底部を支える第１段差部１４がそれぞれ設けられている。第１段差部１４は、例えば、シンク槽１１の底部から上に所定の間隔をあけた位置に設けられている。これにより、仕切板３１の底部とシンク槽１１の底部との間に連通口が形成され、流し専用領域１１Ａと食洗機能領域１１Ｂとは、底部側において連通口により連通されて、食器洗浄機３０の排水は連通口を介して流し専用領域１１Ａの排出口１２に流れるようになっている。
【００２０】
洗浄かご３２の底部とシンク槽１１の底部との間に設けられた空間には、洗浄ノズル３３が配設される。洗浄かご３２の下側から洗浄水を吹き付けるためである。第１段差部１４の底部からの高さは、洗浄ノズル３３を配設することができる高さとすることが好ましく、例えば、５ｃｍから７ｃｍの範囲内とすることが好ましい。
【００２１】
シンク槽１１には、更に、例えば、第１段差部１４の上側における手前側壁及び奥側壁の対応位置に、蓋３４を支える第２段差部１５がそれぞれ設けられている。第２段差部１５は、例えば、第１段差部１４の上端部近傍に設けられることが好ましい。蓋３４は、例えば、調理台２０の下にスライドさせることにより収納することができるように配設されている。
【００２２】
第１段差部１４及び第２段差部１５は、食洗機能領域から流し専用領域に伸長して設けられていることが好ましく、食洗機能付きシンク１は、第１段差部１４又は第２段差部１５に架け渡すことによりシンク槽１１に着脱可能に配設可能な板部材１６を備えることが好ましい。シンク槽１１の任意の位置において、第１段差部１４又は第２段差部１５に板部材１６を架け渡すことにより、任意の位置に高さの異なる物置台又は作業台を設けることができるからである。
【００２３】
シンク槽１１の手前側壁及び奥側壁の上側には、例えば、洗浄水をシャワー状に放出するシャワー洗浄水出口１７が設けられている。シャワー洗浄水出口１７は、例えば、奥側壁に、間隔を開けて２つ設けられ、この２つのシャワー洗浄水出口１７の間に対応する手前側壁に、１つ設けられることが好ましい。なお、シャワー洗浄水出口１７は、手前側壁に２つ設け、奥側壁に１つ設けるようにしてもよい。このように配設することにより、少ない量で全体を洗浄することができるからである。シャワー洗浄水出口１７には、図示しない配管を介して、図示しない水源に接続されるようになっている。
【００２４】
シンク槽１１の食洗機能領域１１Ｂにおける横側壁には、例えば、底部側に、洗浄ノズル３３を着脱可能に配設するノズル洗浄水出口１８が設けられている。ノズル洗浄水出口１８には、図示しない配管を介して、図示しない水源に接続されるようになっている。このノズル洗浄水出口１８は、取り付けた洗浄ノズル３３に洗浄水を供給するためのものであると共に、洗浄ノズル３３を取り付けていない状態で洗浄水を放出することにより、シンク槽１１を洗浄することができるものでもある。
【００２５】
ノズル洗浄水出口１８には、また、図示しない洗剤注入管が接続されており、洗剤注入管に洗剤を注入して、水を供給することにより、洗剤を含んだ洗浄水を洗浄ノズル３３から吹きかけることができるようになっている。洗浄ノズル３３は、例えば、ノズル洗浄水出口１８に接続する接続管３３Ａと、この接続管３３Ａに対して回転可能に配設され、洗浄水を噴出する噴出管３３Ｂとを有していることが好ましい。噴出管３３Ｂは、例えば、３方向に分岐されており、洗浄水を噴出する噴出口がそれぞれ設けられている。
【００２６】
シンク槽１１の近傍には、シンク槽１１に水を供給するための蛇口１９が設けられている。蛇口１９は、例えば、流し専用領域１１Ａと食洗機能領域１１Ｂとに対応してそれぞれ設けられていてもよい。
【００２７】
食洗機能付きシンク１は、また、乾燥手段３５を備えていることが好ましい。乾燥手段３５としては、例えば、シンク槽１１の食洗機能領域１１Ｂにおける底部の下にヒーター３５Ａを設けるようにしてもよく、又は、シンク槽１１の食洗機能領域１１Ｂの横側壁に温風吹き出し口３５Ｂを設け、食洗機能領域１１Ｂに温風を吹き出すようにしてもよく、その両方を設けるようにしてもよい。なお、シンク槽１１の下にヒーター３５Ａを設けるようにすれば、シンク槽１１に水を溜めてヒーター３５Ａで温めることにより温水にして使用することができるので好ましい。
【００２８】
食洗機能付きシンク１は、更に、食器洗浄機３０の動作を制御する制御部３６を備えていることが好ましい。制御部３６は、例えば、洗剤による洗剤洗浄時間や、すすぎ時間等の洗浄条件や、乾燥条件を制御するようになっており、利用者の希望に応じて条件を選択できるようになっていることが好ましい。なお、制御部３６において、水の供給又は停止を行う開閉電磁弁は、例えば、１２Ｖ〜２４Ｖの直流電流で動作させるように構成することが好ましい。節電することができるからである。
【００２９】
また、食洗機能付きシンク１は、利用者が立つ位置の方を前面として、流し台１０又は調理台２０等の下に前面から収納物を収納する前面出し入れ収納部４０を備えていることが好ましい。前面出し入れ収納部４０としては、例えば、前側に引き出す引き出し４１が挙げられる。また、図示しないが、扉式としてもよい。
【００３０】
更に、食洗機能付きシンク１は、例えば図４に示したように、内部に収納空間を有し、上面に収納口５１が設けられた上面出し入れ収納部５０を備えていることが好ましい。収納空間には、複数の収納体５２と、この各収納体５２を順番に収納口５１に近づけるように移動させる移動手段５３とが設けられることが好ましい。例えば、Ｌ字型流し台の角部のように、上面にしか収納口５１を設けることができない場所であっても、収納体５２の位置を移動させることにより、内部の収納空間を広く使用することができるからである。
【００３１】
移動手段５３は、例えば、各収納体５２の上下方向の位置を回転させることにより移動させるようにしてもよく、また、各収納体５２の水平方向の位置を回転させることにより移動させるようにしてもよい。なお、図４では上下方向の位置を回転させる場合について示している。収納口５１には、例えば、開閉可能な扉５４が設けられていることが好ましい。
【００３２】
この食洗機能付きシンク１は、例えば、次のようにして用いられる。シンク槽１１の食洗機能領域１１Ｂを食器洗浄機３０として使用する場合には、まず、例えば、ノズル洗浄水出口１８に洗浄ノズル３３を配設する。次いで、例えば、仕切板３１の両端部の片側を仕切り支え部１３に当接させると共に、底部を第１段差部１４に当接させてシンク槽１１に配設し、洗浄かご３２の一対の側部の底部を第１段差部１４に当接させて食洗機能領域１１Ｂに配設する。続いて、例えば、洗浄かご３２の中に洗浄する食器等を入れ、蓋３４を第２段差部１５に沿ってスライドさせることにより食洗機能領域１１Ｂの上を覆う。
【００３３】
次に、例えば、洗浄ノズル３３及びシャワー洗浄水出口１７から洗浄水を吹きかけて食器等を洗浄する。洗浄条件は制御部３６により制御する。また、洗剤は、食器等に直接かけてもよく、また、図示しない洗剤注入管に洗剤を注入し、洗浄ノズル３３から噴出させるようにしてもよい。食器等を洗浄した洗浄水及び食器等に付着していた食残等は、仕切板３１の下に設けられた連通口を介して、流し専用領域１１Ａの排水口１２に流れる。洗浄水は排水口１２から排水され、食残等は、排水口１２に設けられたごみ収集かご等により集められる。洗浄が終了すると、例えば、乾燥手段３５により食器等を乾燥させる。乾燥条件は制御部３６により制御する。
【００３４】
食洗機能領域１１Ｂを食器洗浄機３０として使用しない場合には、例えば、蓋３４をスライドさせて調理台２０の下に収納し、仕切板３１、洗浄かご３２、及び、洗浄ノズル３３を取り外し、シンク槽１１の全体を広くして使用することができる。また、蓋３４をスライドさせて食洗機能領域１１Ｂの上を覆い、蓋３４の上を作業台として使用してもよく、第１段差部１４又は第２段差部１５に板部材１６を架け渡して物置台又は作業台として使用してもよい。更に、ノズル洗浄水出口１８からシンク槽１１に水を直接噴出させることにより、シンク槽１１を容易に洗浄することもできる。
【００３５】
このように本実施の形態によれば、シンク槽１１を仕切板３１により流し専用領域１１Ａと食洗機能領域１１Ｂとに仕切り、食洗機能領域１１Ｂに洗浄かご３２及び洗浄ノズル３３を着脱可能に配設するようにしたので、シンク槽１１の一部を食器洗浄機３０として使用することができる。よって、作業スペースを気にすることなく食器洗浄機３０を設置することができる。また、仕切板３１、洗浄かご３２、及び、洗浄ノズル３３を取り外すことにより、流し専用領域１１Ａと食洗機能領域１１Ｂとを一体としてシンク槽１１を広く使用することができる。よって、大型の鍋なども容易に洗うことができると共に、メンテナンスも容易にすることができる。
【００３６】
更に、食洗機能領域１１Ｂの上を蓋３４で覆うことができるようにしたので、蓋３４の上を作業台として使用することができ、作業効率を向上させることができる。加えて、排水口１２が設けられている方を流し専用領域１１Ａとし、流し専用領域１１Ａと食洗機能領域１１Ｂとを底部側において連通口により連通するようにしたので、食器に付着している食残等は排水口１２において集めることができる。よって、食器を事前に予備洗いする必要がなく、簡便に使用することができる。更にまた、洗剤は、食器に手で直接かけたり、又は、洗浄ノズル３３に送り込むことによりかけることができるので、食洗機専用の洗剤でも、一般の洗剤でも用いることができる。
【００３７】
また、乾燥手段３５として、食洗機能領域１１Ｂにおける底部の下に設けられたヒーター３５Ａと、食洗機能領域１１Ｂに設けられた温風吹き出し口３５Ｂとのうちの少なくとも一方を備えるようにすれば、食器を効率よく乾燥させることができる。
【００３８】
更に、シンク槽１１の手前側壁及び奥側壁の対応位置に、仕切板３１の底部及び洗浄かご３２の底部を支える第１段差部１４、及び、蓋３４を支える第２段差部１５を設けるようにすれば、仕切板３１、洗浄かご３２、及び、蓋３４を容易に配設することができる。また、第１段差部１４及び第２段差部１５を食洗機能領域１１Ｂから流し専用領域１１Ａに伸長して設けるようにすれば、シンク槽１１の任意の位置において第１段差部１４又は第２段差部１５に板部材１６を架け渡して配設することにより、物置台又は作業台として使用することもできる。
【００３９】
加えて、上面に収納口５１が設けられた上面出し入れ収納部５０を設け、内部の収納空間に、複数の収納体５２と、各収納体５２を順番に収納口５１に近づけるように移動させる移動手段５３とを設けるようにすれば、例えば、Ｌ字型流し台の角部のように、上面にしか収納口５１を設けることができない場所であっても、収納体５２の位置を移動させることにより、内部の収納空間を広く使用することができる。
【００４０】
以上、実施の形態を挙げて本発明を説明したが、本発明は上記実施の形態に限定されるものではなく、種々変形可能である。例えば、上記実施の形態では、各構成要素について具体的に説明したが、全ての構成要素を備えていなくてもよく、また、他の構造を有するように構成してもよい。
【産業上の利用可能性】
【００４１】
シンクに用いることができる。
【符号の説明】
【００４２】
１…食洗機能付きシンク、１０…流し台、１１…シンク槽、１１Ａ…流し専用領域、１１Ｂ…食洗機能領域、１２…排水口、１３…仕切り支え部、１４…第１段差部、１５…第２段差部、１６…板部材、１７…シャワー洗浄水出口、１８…ノズル洗浄水出口、１９…蛇口、２０…調理台、３０…食器洗浄機、３１…仕切板、３２…洗浄かご、３３…洗浄ノズル、３３Ａ…接続管、３３Ｂ…噴出管、３４…蓋、３５…乾燥手段、３５Ａ…ヒーター、３５Ｂ…温風吹き出し口、３６…制御部、４０…前面出し入れ収納部、４１…引き出し、５０…上面出し入れ収納部、５１…収納口、５２…収納体、５３…移動手段、５４…扉
【図１】
0006437418.tif 000002
【図２】
0006437418.tif 000003
【図３】
0006437418.tif 000004
【図４】
0006437418.tif 000005